(57)【要約】【課題】作成の工程数を減少できてコストを低減できる表示装置を提供する。【解決手段】液晶パネル１０１には、隣り合うソース側ドライバ１０２，１０２を電気的に接続するパネル側配線１１０と、このパネル側配線１１０に接続されたコンデンサ１０６とが設けられている。したがって、上記液晶パネル１０１上に液晶画素を作成する工程において、上記コンデンサ１０６を上記液晶画素と共に上記液晶パネル１０１上に一括して作成することにより、上記ソース側ドライバ１０２に、上記コンデンサ１０６を搭載する必要がなくなって、上記ソース側ドライバ１０２のコストを低減できる。【選択図】図２
2008003192.tif 000002
【特許請求の範囲】
【請求項１】
表示パネルに、複数の駆動用デバイスを搭載し、
隣り合う上記駆動用デバイスの少なくとも一つの信号を、上記表示パネル上に形成された配線にて、接続し、
上記信号を、上記配線にて、上記駆動用デバイスの間で転送を行い、表示を行う表示装置において、
上記表示パネルには、一端が上記配線に接続されるコンデンサが設けられ、このコンデンサは、上記表示パネルの作成工程内にて、形成されていることを特徴とする表示装置。
【請求項２】
請求項１に記載の表示装置において、
上記コンデンサの他端は、上記コンデンサの一端が接続される上記配線を除く他の上記配線に、接続されていることを特徴とする表示装置。
【請求項３】
請求項２に記載の表示装置において、
上記コンデンサは、上記配線の電源と上記配線のＧＮＤとの間に、接続されていることを特徴とする表示装置。
【請求項４】
請求項２に記載の表示装置において、
上記コンデンサは、上記配線の制御信号と上記配線のＧＮＤとの間に、接続されていることを特徴とする表示装置。
【請求項５】
請求項１に記載の表示装置において、
上記コンデンサの他端は、ＧＮＤに接続されていることを特徴とする表示装置。
【請求項６】
請求項１に記載の表示装置において、
上記コンデンサの他端は、上記表示パネルに形成された共通電極に接続されていることを特徴とする表示装置。
【請求項７】
請求項１に記載の表示装置において、
上記コンデンサの他端は、任意の電圧を与えることが可能な部分に接続されていることを特徴とする表示装置。
【発明の詳細な説明】
【技術分野】
【０００１】
この発明は、例えば、液晶パネルに適用される表示装置に関する。
【背景技術】
【０００２】
一般に、液晶パネルに表示データを書き込む駆動用半導体チップを、液晶パネルに実装して、表示装置を形成するとき、半導体チップをテープキャリアパッケージ（ＴＣＰ（Tape Carrier Package)）等にパッケージした状態で液晶パネルに搭載する方式と、半導体チップを直接液晶パネルに搭載する方式が知られているが、大型パネルでは、ＴＣＰ等にパッケージした状態で、液晶パネルに搭載する方法が主に採用されている。
【０００３】
半導体チップを直接液晶パネルに搭載する場合、パッケージコストはかからないが、液晶パネル上に形成する制御信号の配線が長くなり、また、配線の抵抗が大きいため、表示に影響するからである。
【０００４】
図７に駆動用半導体をＴＣＰ等にパッケージした状態で液晶パネルに搭載した状態を示す。図７に示す表示装置は、表示を行う液晶パネル２０１と、この液晶パネル２０１の表示データを出力する複数のソース側駆動用半導体（以下ソース側ドライバ）２０２と、上記液晶パネル２０１に形成されたＴＦＴ（Thin Film Transistor）のゲートを制御する複数のゲート側駆動用半導体（以下ゲート側ドライバ）２０３とを有する。上記複数のソース側ドライバ２０２は、一括して、ソース側基板２０４に接続され、上記複数のゲート側ドライバ２０３は、一括して、ゲート側基板２０５に接続されている。
【０００５】
上記各ソース側ドライバ２０２は、（図示しない）コントローラから、上記ソース側基板２０４を介して、制御信号を入力されて、上記液晶パネル２０１に駆動信号を出力する。一方、上記各ゲート側ドライバ２０３は、（図示しない）コントローラから、上記ゲート側基板２０５を介して、制御信号を入力されて、上記液晶パネル２０１に駆動信号を出力する。そして、上記液晶パネル２０１は、上記各ソース側ドライバ２０２から出力された駆動信号、および、上記各ゲート側ドライバ２０３から出力された駆動信号によって、駆動される。
【０００６】
また、図７のソース側基板２０４およびゲート側基板２０５を省略して、小型化、軽量化、コストダウンを図るため、図８に示すような状態で液晶パネルに搭載を行う方法も実施されている。
【０００７】
図８に示す表示装置は、液晶パネル２０１と、複数のソース側ドライバ３０２と、複数のゲート側ドライバ３０３とを有する。上記複数のソース側ドライバ３０２は、直列に接続されており、（図示しない）コントローラからの制御信号を、順に、転送することにより、図７で使用しているソース側基板２０４を使用しないで、コントローラからの制御信号をソース側ドライバ３０２へ入力することが可能となる。
【０００８】
同様に、上記複数のゲート側ドライバ３０３は、直列に接続されており、（図示しない）コントローラからの制御信号を、順に、転送することにより、図７で使用しているゲート側基板２０５を使用しないで、コントローラからの制御信号をゲート側ドライバ３０３へ入力することが可能となる。
【０００９】
そして、上記液晶パネル２０１は、上記制御信号を入力された上記各ソース側ドライバ３０２から出力された駆動信号、および、上記制御信号を入力された上記各ゲート側ドライバ３０３から出力された駆動信号によって、駆動される（特開平６−３６８４号公報：特許文献１参照、特開２００２−１３２１８０号公報：特許文献２参照）。
【００１０】
次に、図８のＣの部分、つまり、ソース側ドライバ３０２同士の接続箇所を、図９、図１０および図１１に示す。なお、ゲート側ドライバ３０３の接続も同様であるため、ソース側ドライバ３０２のみを説明する。
【００１１】
図９は、ソース側ドライバ３０２同士の接続状態を示した図である。この接続箇所では、一方の上記ソース側ドライバ３０２の端部と、他方の上記ソース側ドライバ３０２の端部とは、重なっている。
【００１２】
上記ソース側ドライバ３０２は、駆動用半導体チップを搭載したＴＣＰ３０８で構成されており、このＴＣＰ３０８上には、制御信号を隣のソース側ドライバ３０２と受け渡しを行うための配線であるドライバ側配線１０９、および、駆動用半導体チップから出力される駆動信号をパネルへ伝えるための配線である駆動信号用配線１２０が、形成されている。ドライバ側配線１０９および駆動信号用配線１２０は、ＴＣＰ３０８の裏面に形成されている。
【００１３】
また、ドライバ側配線１０９にはコンデンサ３０６が配置されている。このコンデンサ３０６は、配線のインピーダンスの影響による電圧降下の防止や、信号線のノイズを防止する目的で配置される。
【００１４】
ドライバ側配線１０９は、ＴＣＰ３０８の基材の１面（裏面）に配置されているため、ソース側ドライバ３０２同士のドライバ側配線１０９を接続するためには、ＴＣＰ３０８の基材にスリットを設けて接続を行う。図１０および図１１を使用し、スリットを使用した接続の状態を説明する。
【００１５】
図１０は、接続前における、一方のソース側ドライバ３０２の一端３０２Ａと、他方のソース側ドライバ３０２の他端３０２Ｂとを、示している。図１１は、一方のソース側ドライバ３０２の一端３０２Ａと、他方のソース側ドライバ３０２の他端３０２Ｂとの、接続する位置関係を、示している。
【００１６】
一方のソース側ドライバ３０２の一端３０２Ａには、スリット３０７が設けられている。スリット３０７は、ＴＣＰ３０８の基材に穴をあけ、ドライバ側配線１０９が、ＴＣＰ３０８の反対側から導通可能となり、図１１のように、一端３０２Ａと他端３０２Ｂを重ねたときに、スリット３０７を通じ、一端３０２Ａのドライバ側配線１０９と、他端３０２Ｂのドライバ側配線１０９とが、接続される。
【００１７】
ＩＣ等の集積回路を、基板等に実装する場合、配線のインピーダンスの影響による電圧降下を防止するために、集積回路の近傍にバイパスコンデンサを配置したり、信号線のノイズを防止するために、ノイズ防止用のコンデンサの配置を行う。
【００１８】
図７に示す表示装置では、バイパスコンデンサ等の外付け部品は、基板２０４，２０５に配置することができる。一方、図８に示す表示装置では、図７の基板２０４，２０５に相当するものが無いため、図９に示すように、コンデンサ３０６をＴＣＰ３０８上に配置している。
【特許文献１】特開平６−３６８４号公報
【特許文献２】特開２００２−１３２１８０号公報
【発明の開示】
【発明が解決しようとする課題】
【００１９】
しかしながら、図８と図９の表示装置では、ＴＣＰ３０８上にコンデンサ３０６を配置しているため、ソース側ドライバやゲート側ドライバの電源ラインや、入力信号ラインにコンデンサを配置する場合、駆動用半導体チップとコンデンサをパッケージに同梱する必要があり、作成の工程数が増加して、コストが上昇する問題があった。
【００２０】
そこで、この発明の課題は、作成の工程数を減少できてコストを低減できる表示装置を提供することにある。
【課題を解決するための手段】
【００２１】
上記課題を解決するため、この発明の表示装置は、
表示パネルに、複数の駆動用デバイスを搭載し、
隣り合う上記駆動用デバイスの少なくとも一つの信号（制御信号や電源等）を、上記表示パネル上に形成された配線にて、接続し、
上記信号を、上記配線にて、上記駆動用デバイスの間で転送を行い、表示を行う表示装置において、
上記表示パネルには、一端が上記配線に接続されるコンデンサが設けられ、このコンデンサは、上記表示パネルの作成工程内にて、形成されていることを特徴としている。
【００２２】
この発明の表示装置によれば、上記表示パネルには、一端が上記配線に接続されるコンデンサが設けられ、このコンデンサは、上記表示パネルの作成工程内にて、形成されているので、上記表示パネル上に液晶等の画素を作成する工程において、上記コンデンサを画素等と共に上記表示パネル上に一括して作成することができ、上記駆動用デバイス自身に、コンデンサを搭載する必要がなくなり、上記駆動用デバイスのコストを低減できる。
【００２３】
また、一実施形態の表示装置では、上記コンデンサの他端は、上記コンデンサの一端が接続される上記配線を除く他の上記配線に、接続されている。
【００２４】
この実施形態の表示装置によれば、上記コンデンサの他端は、上記コンデンサの一端が接続される上記配線を除く他の上記配線に、接続されているので、上記コンデンサの他端の接続を簡単な構成にすることができる。
【００２５】
また、一実施形態の表示装置では、上記コンデンサは、上記配線の電源と上記配線のＧＮＤとの間に、接続されている。
【００２６】
この実施形態の表示装置によれば、上記コンデンサは、上記配線の電源と上記配線のＧＮＤとの間に、接続されているので、上記コンデンサを、上記配線等のインピーダンスの影響による電圧降下を防止するバイパスコンデンサとして使用することができる。
【００２７】
また、一実施形態の表示装置では、上記コンデンサは、上記配線の制御信号と上記配線のＧＮＤとの間に、接続されている。
【００２８】
この実施形態の表示装置によれば、上記コンデンサは、上記配線の制御信号と上記配線のＧＮＤとの間に、接続されているので、上記コンデンサを、上記制御信号のノイズを防止するノイズ防止用コンデンサとして使用することができる。
【００２９】
また、一実施形態の表示装置では、上記コンデンサの他端は、ＧＮＤに接続されている。
【００３０】
この実施形態の表示装置によれば、上記コンデンサの他端は、ＧＮＤに接続されているので、上記コンデンサを、上記配線等のインピーダンスの影響による電圧降下を防止するバイパスコンデンサとして使用することができ、または、上記コンデンサを、上記配線の信号線のノイズを防止するノイズ防止用コンデンサとして使用することができる。
【００３１】
また、一実施形態の表示装置では、上記コンデンサの他端は、上記表示パネルに形成された共通電極に接続されている。
【００３２】
ここで、共通電極とは、上記表示パネルに複数のＴＦＴが形成されているとき、この各ＴＦＴに接続された複数の電極（以下、画素電極という）に共通して対向している電極をいう。
【００３３】
この実施形態の表示装置によれば、上記コンデンサの他端は、上記表示パネルに形成された共通電極に接続されているので、上記コンデンサを、上記配線等のインピーダンスの影響による電圧降下を防止するバイパスコンデンサとして使用することができ、または、上記コンデンサを、上記配線の信号線のノイズを防止するノイズ防止用コンデンサとして使用することができる。
【００３４】
また、一実施形態の表示装置では、上記コンデンサの他端は、任意の電圧を与えることが可能な部分に接続されている。
【００３５】
この実施形態の表示装置によれば、上記コンデンサの他端は、任意の電圧を与えることが可能な部分に接続されているので、上記コンデンサを、上記配線等のインピーダンスの影響による電圧降下を防止するバイパスコンデンサとして使用することができ、または、上記コンデンサを、上記配線の信号線のノイズを防止するノイズ防止用コンデンサとして使用することができる。
【発明の効果】
【００３６】
この発明の表示装置によれば、上記表示パネルには、一端が上記配線に接続されるコンデンサが設けられ、このコンデンサは、上記表示パネルの作成工程内にて、形成されているので、駆動用デバイスにコンデンサを搭載する必要が無く、駆動用デバイスの作成の工程数の削減が可能となって、コストを低減できる。
【発明を実施するための最良の形態】
【００３７】
以下、この発明を図示の実施の形態により詳細に説明する。
【００３８】
（第１の実施形態）
図１は、この発明の表示装置の第１実施形態である簡略構成図を示している。この表示装置は、表示パネルとしての液晶パネル１０１と、駆動用デバイスとしての、複数のソース側ドライバ１０２および複数のゲート側ドライバ１０３とを有する。
【００３９】
上記複数のソース側ドライバ１０２は、上記液晶パネル１０１の一辺に沿って、一直線状に配列される。上記複数のゲート側ドライバ１０３は、上記液晶パネル１０１の一辺に交差する他辺に沿って、一直線状に配列される。
【００４０】
上記液晶パネル１０１には、隣り合う上記ソース側ドライバ１０２，１０２の間および隣り合う上記ゲート側ドライバ１０３，１０３の間のそれぞれに配置されると共に、上記隣り合うソース側ドライバ１０２，１０２の信号線および上記隣り合うゲート側ドライバ１０３，１０３の信号線のそれぞれを電気的に接続するパネル側配線１１０が設けられている。
【００４１】
そして、この表示装置は、上記ソース側ドライバ１０２および上記ゲート側ドライバ１０３の制御信号や電源等の信号を、上記パネル側配線１１０にて接続し、上記複数のソース側ドライバ１０２および上記複数のゲート側ドライバ１０３の間で転送を行い、表示を行う。
【００４２】
上記ソース側ドライバ１０２は、上記液晶パネル１０１の表示データを出力し、上記ゲート側ドライバ１０３は、上記液晶パネル１０１に形成されたＴＦＴ（Thin Film Transistor）１のゲートを制御する。
【００４３】
具体的に述べると、上記複数のソース側ドライバ１０２は、上記パネル側配線１１０を介して、クロック信号、階調データや、制御タイミングを示す信号等の制御信号、および、電源が入力される。入力された制御信号や電源は、ソース側ドライバ１０２に設けられた配線やバッファにより、隣のソース側ドライバ１０２へ転送される。このように、順に、制御信号を転送されつつ、この制御信号を入力されて、上記液晶パネル１０１に駆動信号を出力する。つまり、上記制御信号は、図示しないコントローラから、左端のソース側ドライバ１０２に入力されて、右側のソース側ドライバ１０２に順に伝送される。
【００４４】
一方、上記複数のゲート側ドライバ１０３は、上記パネル側配線１１０を介して、クロック信号や、制御タイミングを示す信号等の制御信号、および、電源が入力される。入力された制御信号や電源は、ゲート側ドライバ１０３に設けられた配線やバッファにより、隣のゲート側ドライバ１０３へ転送される。このように、順に、制御信号を転送されつつ、この制御信号を入力されて、上記液晶パネル１０１に駆動信号を出力する。つまり、上記制御信号は、図示しないコントローラから、上端のゲート側ドライバ１０３に入力されて、下側のゲート側ドライバ１０３に順に伝送される。
【００４５】
そして、上記液晶パネル１０１は、上記各ソース側ドライバ１０２から出力された駆動信号、および、上記各ゲート側ドライバ１０３から出力された駆動信号によって、駆動される。
【００４６】
ここで、上記液晶パネル１０１における１つの液晶画素の構造を説明する。この液晶画素は、ＴＦＴ１と、画素容量（コンデンサ）２と、補助容量（コンデンサ）３とを有する。
【００４７】
上記ＴＦＴ１のゲートには、上記ゲート側ドライバ１０３から延びているゲートライン５が接続され、上記ＴＦＴ１のソースには、上記ソース側ドライバ１０２から延びているソースライン４が接続されている。
【００４８】
上記ＴＦＴ１には、画素電極が接続され、この画素電極に対向するように、共通電極Ｖｃｏｍが設けられている。この共通電極Ｖｃｏｍは、上記各ＴＦＴ１に接続された複数の画素電極に共通して対向している。上記画素電極と上記共通電極Ｖｃｏｍとの間には、液晶が封印され、上記画素容量２を形成している。
【００４９】
そして、上記ゲートライン５からの信号により、上記ＴＦＴ１がオンし、上記画素容量２に上記ソースライン４の電圧を印加する。上記液晶画素は、印加された電圧と上記共通電極Ｖｃｏｍとの電圧差で、光の透過率を変化させて、表示を行う。
【００５０】
上記補助容量３は、上記画素容量２の電圧保持を補助する働きがあり、上記補助容量３は、上記ＴＦＴ１のドレインと電極Ｖｃｓとの間に、配置される。なお、上記電極Ｖｃｓは、上記共通電極Ｖｃｏｍと共通にしてもよく、他のゲート信号に接続してもよく、または、他の電圧を与えるようにしてもよい。
【００５１】
次に、図１のＡ部の隣り合うソース側ドライバ１０２，１０２の接続箇所を、図２に示す。この接続箇所では、一方の上記ソース側ドライバ１０２の端部と、他方の上記ソース側ドライバ１０２の端部とは、上記パネル側配線１１０に重なっている。
【００５２】
上記ソース側ドライバ１０２は、半導体チップを搭載したＴＣＰ（テープキャリアパッケージ（Tape Carrier Package）)１０８で構成されており、このＴＣＰ１０８の裏面（上記液晶パネル１０１側の面）には、制御信号を隣のソース側ドライバ１０２と受け渡しを行うための配線である（信号線としての）ドライバ側配線１０９、および、駆動用半導体チップから出力される駆動信号を液晶パネル１０１へ伝えるための配線である駆動信号用配線１２０が形成されている。そして、隣り合うソース側ドライバ１０２，１０２は、上記パネル側配線１１０を介して、互いの上記ドライバ側配線１０９が接続される。
【００５３】
上記液晶パネル１０１には、上記液晶パネル１０１の作成工程内にて形成されたコンデンサ１０６が設けられている。つまり、上記コンデンサ１０６は、図１に示す上記補助容量３と同じ構成で、上記補助容量３や液晶画素等と同工程にて形成される。上記コンデンサ１０６の一端は、上記パネル側配線１１０に接続され、上記コンデンサ１０６の他端は、上記コンデンサ１０６の一端が接続される上記パネル側配線１１０を除く他の上記パネル側配線１１０に、接続されている。したがって、上記コンデンサ１０６の両端の接続を簡単な構成にすることができる。
【００５４】
具体的に述べると、上記コンデンサ１０６は、上記パネル側配線１１０のうちの電源用配線と上記パネル側配線１１０のうちのＧＮＤ用配線との間に、接続される。つまり、上記コンデンサ１０６を、上記パネル側配線１１０等のインピーダンスの影響による電圧降下を防止するバイパスコンデンサとして使用することができる。
【００５５】
なお、上記コンデンサ１０６を、上記パネル側配線１１０のうちの制御信号用配線と上記パネル側配線１１０のうちのＧＮＤ用配線との間に、接続してもよく、上記コンデンサ１０６を、上記制御信号用配線のノイズを防止するノイズ防止用コンデンサとして使用することができる。
【００５６】
なお、図示しないが、上記隣り合うゲート側ドライバ１０３，１０３の接続箇所は、上記隣り合うソース側ドライバ１０２，１０２の接続箇所と同様の構成である。
【００５７】
上記構成の表示装置によれば、上記液晶パネル１０１には、上記パネル側配線１１０に接続される上記コンデンサ１０６が設けられ、このコンデンサ１０６は、上記液晶パネル１０１の作成工程内にて、形成されているので、上記液晶パネル１０１上に上記液晶画素を作成する工程において、上記コンデンサ１０６を上記液晶画素と共に上記液晶パネル１０１上に一括して作成することができる。このため、上記ドライバ１０２，１０３に、コンデンサを搭載する必要がなくなり、上記ドライバ１０２，１０３のコストを低減できる。
【００５８】
（第２の実施形態）
図３は、この発明の表示装置の第２の実施形態を示している。上記第１の実施形態（図２）と相違する点を説明すると、この第２の実施形態では、コンデンサ１０６の一端は、パネル側配線１１０に接続され、コンデンサ１０６の他端は、液晶パネル１０１に形成された共通電極Ｖｃｏｍに接続されている。
【００５９】
具体的に述べると、上記コンデンサ１０６は、上記パネル側配線１１０のうちの電源用配線と上記共通電極Ｖｃｏｍとの間に、接続される。つまり、上記コンデンサ１０６を、上記パネル側配線１１０等のインピーダンスの影響による電圧降下を防止するバイパスコンデンサとして使用することができる。
【００６０】
なお、上記コンデンサ１０６を、上記パネル側配線１１０のうちの制御信号用配線と上記共通電極Ｖｃｏｍとの間に、配置してもよく、上記コンデンサ１０６を、上記制御信号用配線のノイズを防止するノイズ防止用コンデンサとして使用することができる。
【００６１】
（第３の実施形態）
図４は、この発明の表示装置の第３の実施形態を示している。上記第１の実施形態（図２）と相違する点を説明すると、この第３の実施形態では、コンデンサ１０６の一端は、パネル側配線１１０に接続され、コンデンサ１０６の他端は、任意の電圧を与えることが可能な部分（この実施形態では、所定電極Ｖｔｍｐ）に接続されている。
【００６２】
具体的に述べると、上記コンデンサ１０６は、上記パネル側配線１１０のうちの電源用配線と上記所定電極Ｖｔｍｐとの間に、配置される。つまり、上記コンデンサ１０６を、上記パネル側配線１１０等のインピーダンスの影響による電圧降下を防止するバイパスコンデンサとして使用することができる。
【００６３】
なお、上記コンデンサ１０６を、上記パネル側配線１１０のうちの制御信号用配線と上記所定電極Ｖｔｍｐとの間に、配置してもよく、上記コンデンサ１０６を、上記制御信号用配線のノイズを防止するノイズ防止用コンデンサとして使用することができる。
【００６４】
図５と図６は、上記第１、上記第２および上記第３の表示装置の変形例を示している。上記第１から上記第３の実施形態（図１から図４）と相違する点を説明すると、この変形例では、ソース側ドライバ５０２のＴＣＰ１０８の信号配線面（図では裏面に相当）には、制御信号を送受信する上記ドライバ側配線１０９と、液晶パネル１０１に駆動信号を送信する駆動信号用配線１２０とが、同一の辺に形成されている。なお、図６は、図５のＢ部の拡大図を示す。
【００６５】
図１と図２の形状は、制御信号を送受信するドライバ側配線１０９と液晶パネルの駆動信号を送信する駆動信号線１２０が、ＴＣＰ１０８の３辺に配置されており、ＴＣＰ１０８全体をガラス基板上は位置する必要があるが、図５と図６の形状の場合、ＴＣＰ１０８のパネルとの接続端子以外は、液晶パネル１０１の外側に配置できるため、液晶パネル１０１の額縁寸法を狭くすることが可能となる。
【００６６】
具体的に述べると、上記ドライバ側配線１０９の端部（端子）と、上記駆動信号用配線１２０の端部（端子）とは、上記ＴＣＰ１０８の同一辺に、配置されている。また、上記隣り合うソース側ドライバ５０２，５０２のそれぞれの上記ドライバ側配線１０９は、上記パネル側配線１１０を介して、接続している。
【００６７】
コンデンサ１０６は、図２に示す液晶パネル１０１の画素等と同一工程にて作成されるコンデンサであり、図２と同様に電源配線とＧＮＤ配線、もしくは、信号線とＧＮＤ配線間に接続している。なお、図示しないが、図３や図４と同様に、ＶｃｏｍやＶｔｍｐとの間に配置することも可能である。
【００６８】
なお、図示しないが、隣り合うゲート側ドライバ５０３，５０３の接続箇所は、上記隣り合うソース側ドライバ５０２，５０２の接続箇所と同様の構成である。
【００６９】
なお、この発明は上述の実施形態に限定されない。例えば、隣り合うゲート側ドライバ５０３，５０３の間のパネル側配線１１０に接続するように、コンデンサ１０６を設けてもよい。また、全てのパネル側配線１１０のうちの少なくとも一つに接続するように、コンデンサ１０６を設けてもよい。
【図面の簡単な説明】
【００７０】
【図１】本発明の表示装置の第１実施形態を示す簡略構成図である。
【図２】図１のＡ部の拡大図である。
【図３】本発明の表示装置の第２実施形態を示す簡略構成図である。
【図４】本発明の表示装置の第３実施形態を示す簡略構成図である。
【図５】本発明の表示装置の変形例を示す簡略構成図である。
【図６】図５のＢ部の拡大図である。
【図７】従来の表示装置を示す簡略構成図である。
【図８】従来の他の表示装置を示す簡略構成図である。
【図９】図８のＣ部の拡大図である。
【図１０】図９の接続部を説明する説明図である。
【図１１】図９の接続部を説明する説明図である。
【符号の説明】
【００７１】
１  ＴＦＴ
２  画素容量（コンデンサ）
３  補助容量（コンデンサ）
４  ソースライン
５  ゲートライン
１０１  液晶パネル（表示パネル）
１０２  ソース側ドライバ
１０３  ゲート側ドライバ
１０６  コンデンサ
１０８  ＴＣＰ
１０９  ドライバ側配線
１１０  パネル側配線
１２０  駆動信号用配線
２０１  液晶パネル（表示パネル）
２０２  ソース側ドライバ
２０３  ゲート側ドライバ
２０４  ソース側基板
２０５  ゲート側基板
３０２  ソース側ドライバ
３０３  ゲート側ドライバ
３０６  コンデンサ
３０７  スリット
３０８  ＴＣＰ
５０２  ソース側ドライバ
５０３  ゲート側ドライバ
【図１】
2008003192.tif 000003
【図２】
2008003192.tif 000004
【図３】
2008003192.tif 000005
【図４】
2008003192.tif 000006
【図５】
2008003192.tif 000007
【図６】
2008003192.tif 000008
【図７】
2008003192.tif 000009
【図８】
2008003192.tif 000010
【図９】
2008003192.tif 000011
【図１０】
2008003192.tif 000012
【図１１】
2008003192.tif 000013